(57)【要約】【課題】使用者のプライバシー保護と監視との調和を図ることができる避難所用折畳み式テントを提供することである。【解決手段】避難所用折畳み式テント１００は、筒状周壁部１０と、第一の内部視認部５０とを備えている。筒状周壁部１０は、可撓性膜材の複数の略角丸形状壁面１１，１２，１３を有し、各々の略角丸形状壁面１１，１２，１３の周縁部１５，１６に弾性フレームが設けられている。筒状周壁部１０は、複数の略角丸形状壁面１１，１２，１３のそれぞれの側縁部１７が相互に折り畳み可能に順次連続して連結されている。筒状周壁部１０の上部に第一の内部視認部５０が設けられている。第一の内部視認部５０は、網状又はメッシュ状である。【選択図】図１
0003231174.tif 000002
【実用新案登録請求の範囲】
【請求項１】
可撓性膜材の周縁部に弾性フレームが設けられた略角丸形状壁面を複数有し、複数の前記略角丸形状壁面の側縁部が折り畳み可能に順次連続して連結された筒状周壁部と、
該筒状周壁部の上部に設けられた網状又はメッシュ状の第一の内部視認部とを備えていることを特徴とする避難所用折畳み式テント。
【請求項２】
前記第一の内部視認部は、前記筒状周壁部の上部に開閉自在に設けられていることを特徴とする請求項１記載の避難所用折畳み式テント。
【請求項３】
前記筒状周壁部の一の略角丸形状壁面に網状又はメッシュ状の第２の内部視認部が設けられていることを特徴とする請求項１又は２に記載の避難所用折畳み式テント。
【請求項４】
前記第一の内部視認部の上部に不透明の目隠し膜が開閉自在に設けられていることを特徴とする請求項１から３の何れかに記載の避難所用折畳み式テント。
【請求項５】
前記第一の内部視認部は前記筒状周壁部の上縁部に連結された可撓性天幕に設けられており、該可撓性天幕は略Ｕ字状の第一のファスナー切断縁を有し、
前記第一の内部視認部は、前記第一のファスナー切断縁に対応する略Ｕ字状の第二のファスナー切断縁を有し、
前記第一のファスナー切断縁と前記第二のファスナー切断縁とにファスナーのスライダーが移動可能に設けられていることを特徴とする請求項１から４の何れかに記載の避難所用折畳み式テント。
【考案の詳細な説明】
【技術分野】
【０００１】
本考案は、簡易かつコンパクトに格納される避難所用折畳み式テントに関する。
【背景技術】
【０００２】
従来、避難所用折畳み式テントとして、例えば、特許文献１に記載のテントがある。特許文献１のテントは、上面シート、底面シート、正面シート及び背面シートにより横長角胴部を形成し、横長角胴部の左右両端部は閉鎖されており、正面シートに開閉自在な出入口が設けられている。上面シート、底面シート、正面シート及び背面シートの各シートは、それらが纏わり着いた各環状の弾性ワイヤ芯を互いに重ね合せるように折り畳まれる。それらの各弾性ワイヤ芯を他の弾性ワイヤ芯に重ね合せたまま折り曲げて互いに重なり合う３つの円環部に折り込まれる。この折り込み状態で収納袋に収納されて格納手段に格納される。
【先行技術文献】
【特許文献】
【０００３】
【特許文献１】実用新案登録第３１８９８８８号公報
【０００４】
しかしながら、特許文献１に記載の技術では、使用状態において、出入口を閉じた場合、テント外からテント内を視認することができず、テント内の使用者の体調不良などの異変のときに、確認が遅れるという不具合が生じ得る。一方、出入口を開けたままの場合、使用者のプライバシー保護に欠ける場合がある。即ち、従来技術では、使用者のプライバシー保護と監視との調和を図ることができないという問題があった。
【考案の概要】
【考案が解決しようとする課題】
【０００５】
そこで、本考案の目的は、使用者のプライバシー保護と監視との調和を図ることができる避難所用折畳み式テントを提供することである。
【課題を解決するための手段】
【０００６】
本考案の一態様に係る避難所用折畳み式テントは、可撓性膜材の周縁部に弾性フレームが設けられた略角丸形状壁面を複数有し、複数の前記略角丸形状壁面の側縁部が折り畳み可能に順次連続して連結された筒状周壁部と、該筒状周壁部の上部に設けられた網状又はメッシュ状の第一の内部視認部とを備えている構成である。
【０００７】
また、本考案の一態様に係る避難所用折畳み式テントは、前記第一の内部視認部は、前記筒状周壁部の上部に開閉自在に設けられている構成であってもよい。
【０００８】
さらに、本考案の一態様に係る避難所用折畳み式テントは、前記筒状周壁部の一の略角丸形状壁面に網状又はメッシュ状の第２の内部視認部が設けられている構成であってもよい。
【０００９】
さらにまた、本考案の一態様に係る避難所用折畳み式テントは、前記第一の内部視認部の上部に不透明の目隠し膜が開閉自在に設けられている構成であってもよい。
【００１０】
本考案の一態様に係る避難所用折畳み式テントは、前記第一の内部視認部は前記筒状周壁部の上縁部に連結された可撓性天幕に設けられており、該可撓性天幕は略Ｕ字状の第一のファスナー切断縁を有し、前記第一の内部視認部は、前記第一のファスナー切断縁に対応する略Ｕ字状の第二のファスナー切断縁を有し、前記第一のファスナー切断縁と前記第二のファスナー切断縁とにファスナーのスライダーが移動可能に設けられている構成であってもよい。
【考案の効果】
【００１１】
本考案の一態様に係る避難所用折畳み式テントによれば、上記構成を採用したので、使用者のプライバシー保護と監視との調和を図ることができるという効果を奏する。
【図面の簡単な説明】
【００１２】
【図１】本考案の第一の実施形態の避難所用折畳み式テントを示す斜視図である。
【図２】図１の避難所用折畳み式テントの弾性フレームのみを示す説明図である。
【図３】本考案の第二の実施形態の避難所用折畳み式テントを示す平面図である。
【図４】図３のＡ−Ａ‘部分拡大図である。
【図５】図４の避難所用折畳み式テントの目隠し膜が閉じられた状態を示す平面図である。
【図６】本考案の第三の実施形態の避難所用折畳み式テントの構成を示す斜視図である。
【図７】図６の避難所用折畳み式テントの第二の内部視認部が開かれた状態を示すＢ−Ｃ部分拡大図である。
【考案を実施するための形態】
【００１３】
以下、本考案を実施するための形態について、図面を参照しつつ、詳細に説明する。なお、本考案は以下の実施形態に何ら限定されない。
【００１４】
（第一の実施形態）
図１は、第一の実施形態の避難所用折畳み式テント１００を示す斜視図である。避難所用折畳み式テント１００は、図１に示すように、筒状周壁部１０と、第一の内部視認部５０とを備えている。避難所用折畳み式テント１００は、避難所に用いられる。なお、使用状態の避難所用折畳み式テント１００が設置される接地面側を下部といい、接地面とは反対の避難所の天井側を上部という。
【００１５】
筒状周壁部１０は、不透明の合成樹脂製の可撓性膜材と、弾性フレーム２０とを備える。筒状周壁部１０は、４つの略角丸形状壁面１１，１２，１３，１４を有し、略角丸形状壁面１１，１２，１３，１４のそれぞれの側縁部１７が相互に折り畳み可能に順次連続して連結されている。なお、側縁部１７は、筒状周壁部１０の周縁部１５，１６の一部分である。
【００１６】
略角丸形状壁面１１，１２，１３，１４のそれぞれの周縁部１５，１６に、図２に示す弾性フレーム２０が設けられている。略角丸形状壁面１１，１４は、ともに、５つの角部が湾曲した略五角丸形の可撓性膜材の周縁部１５に弾性フレーム２０が設けられている。また、略角丸形状壁面１２，１３は、ともに、４つの角部が湾曲した略長方四角丸形の可撓性膜材の周縁部１６に弾性フレーム２０が設けられている。なお、略角丸形状壁面１２，１３は、略角丸形壁面１１，１４の高さより低い方が好ましい。
【００１７】
さらに、筒状周壁部１０は、使用者が快適に過ごせるように内部空間を有し、略角丸形状壁面１１，１２，１３、１４は、その内部空間を確保する高さと幅を有する。なお、略角丸形状壁面１１に出入口１８を有し、出入口１８を開閉可能にする不透明な可撓性膜材からなる扉膜１９が形成されている。
【００１８】
さらにまた、筒状周壁部１０の下縁部に折り畳み可能に底面４０が連結され、筒状周壁部１０の下部に隙間のない矩形遮蔽空間を構成している。底面４０は、可撓性膜材からなり、底面視で正方形であり、底面４０の一辺の長さ×他辺の長さの広さを有する。なお、底面４０には、別体のフロアシートなどのマットを敷設してもよい。この場合は、避難所の床からの冷えを低減することができる。
【００１９】
筒状周壁部１０の上縁部に不透明の合成樹脂製の可撓性膜材からなる可撓性天幕３０が連結され、可撓性天幕３０に第一の内部視認部５０が形成されている。なお、筒状周壁部１０の上部に設けられた第一の内部視認部５０と可撓性天幕３０とで一重膜構造のテント屋根が構成されている。
【００２０】
第一の内部視認部５０は、合成樹脂製の網生地又はメッシュ生地からなり、網状又はメッシュ状である。なお、第一の内部視認部５０は、網状又はメッシュ状であれば、素材は何であってもかまわない。
【００２１】
図２は、図１の避難所用折畳み式テント１００の弾性フレーム２０のみを示す説明図である。弾性フレーム２０は、図２に示すように、複数の環状の無端フレーム２１，２１，２２，２２からなり、一の一対の無端フレーム２１，２１と、他の一対の無端フレーム２２，２２とを備える。無端フレーム２１と無端フレーム２２は、ともに環状であり、折畳みの際に重なり合って更に小径の環状になり得る。なお、無端フレーム２１は、無端フレーム２２より周長さが長い方が好ましい。
【００２２】
無端フレーム２１は、筒状周壁部１０の正面と背面を構成する略角丸形状壁面１１，１４の可撓性膜材の周縁部１５に設けられている（図１参照）。無端フレーム２１は、折り畳んだ際には、重なり合った略環状となり得、折畳みを解除した際には、略五角丸形となり得る。
【００２３】
無端フレーム２２は、筒状周壁部１０の両側面を構成する略角丸形状壁面１２，１３の可撓性膜材の周縁部１６に設けられている（図１参照）。無端フレーム２２は、折り畳んだ際には、重なり合った略環状となり得、折畳みを解除した際には、略長方四角丸形となり得る。
【００２４】
本実施形態の避難所用折畳み式テント１００によれば、網状又はメッシュ状の第一の内部視認部５０が筒状周壁部１０の上部に設けられているので、第一の内部視認部５０を介してテント外からテント内を視認することができる。
【００２５】
テント内の使用者が体調不良などの異変のときに、第一の内部視認部５０を介してテント外からテント内の様子を伺い知ることができる。確認が遅れるという不具合を防止できる。
【００２６】
また、出入口１８が扉膜１９で閉じられた状態であっても、第一の内部視認部５０を介してテント外からテント内を視認することができる。このため、出入口１８の開閉状態にかかわらず、確認が遅れることを防止できる。
【００２７】
以上述べたように、避難所用折畳み式テント１００によれば、使用者のプライバシー保護と監視との調和を図ることができる。避難所用折畳み式テント１００の高さと、使用者の視線高さや監視者の視線高さとの関係で考察すると、以下のようになる。
【００２８】
例えば、避難所用折畳み式テント１００によれば、略角丸形状壁面１１，１２，１３、１４は、その内部空間を確保する高さと幅を有するので、テント内では使用者の目線より高い筒状周壁部１０で覆われ得、十分なプライバシーの保護が確保される。使用者に安心感が得られる。
【００２９】
ここで、テント外の監視者の立位時の目線より略角丸形状壁面１１，１２，１３，１４の高さが低い場合は、監視者は、そのままで第一の内部視認部５０を介してテント内を視認することができる。なお、監視者が高所にいる場合も同様である。
【００３０】
このとき、使用者と監視者との間に第一の内部視認部５０が存在するので、使用者と監視者とが直接視線をかわすことを防止でき、避難所ストレスを緩和することができる。また、監視性に優れる。
【００３１】
一方、テント外の監視者の目線の高さより略角丸形状壁面１１，１２，１３，１４の高さが高い場合は、そのままではテント内を覗くことができない。この場合、監視者は、必要に応じ、テント外から筒状周壁部１０の上縁部に下方に力を加えればよい。
【００３２】
そのとき、力を加えた部分の弾性フレーム２０が変形し、テント外からテント内を視認することができる。視認を短時間に済ませることができる。また、その力を加えることをやめれば、弾性フレーム２０の弾性力により、元の形状に復帰する。
【００３３】
特に、略角丸形状壁面１２，１３が略角丸形状壁面１１，１４の高さより低いときには、略角丸形状壁面１１，１４ではテント内外の視線の間に不透明な可撓性膜材が存在し、のぞき見を防止できる。略角丸形状壁面１２，１３ではテント内外の視線の間に不透明な可撓性膜材が存在せず第一の内部視認部５０が存在し、視認を可能にする。また、正面と背面の略角丸形状壁面１１，１４の高さが両側面の略角丸形状壁面１２，１３の高さより高い場合、出入口１８を大きく確保しやすい。
【００３４】
また、避難所用折畳み式テント１００によれば、第一の内部視認部５０は、網状又はメッシュ状であるため、視認性、通気性に優れる。また、テントに屋根が設けられていない場合と比して、防虫性に優れる。また、屋根が不透明の可撓性天幕で構成されたものに比して採光性に優れる。
【００３５】
さらに、避難所用折畳み式テント１００によれば、折畳みの際に、各略角丸形状壁面１１，１２，１３，１４を互いに重ね、さらに弾性フレーム２０が互いに重なり合った略環状となるように折畳み、テント全体を略円形に折り畳むことができる。収納の際は、その略円形に折り畳んだ状態にゴムバンドで止めるだけで小さくまとめることができる。収納サイズも小さいため、保管時にスペースを取らず、倉庫などに大量に保管可能である。
【００３６】
さらにまた、避難所用折畳み式テント１００によれば、重量も軽いため、一人で持ち運びができる。また、折り畳んだ状態から、手軽に広げることができ、拡げるだけで簡単に設置することができる。
【００３７】
なお、第一の内部視認部５０の上部に不透明の目隠し膜６０を開閉自在に設けてもよい。また、第一の内部視認部５０と、開閉自在な可撓性膜材からなる目隠し膜６０とで二重構造の屋根構造としてもよい。
【００３８】
また、避難所用折畳み式テント１００は、筒状周壁部１０、扉膜１９、可撓性天幕３０、底面４０、目隠し膜６０の可撓性膜材は、合成樹脂製であれば何であってもよいが、防炎性ポリエステル生地のように防炎性を有するものが好ましい。
【００３９】
（第二の実施形態）
第二の実施形態の避難所用折畳み式テント２００は、第一の実施形態の避難所用折畳み式テント１００とは、第一の内部視認部２５０が筒状周壁部１０の上部に開閉自在に設けられている点で異なる。避難所用折畳み式テント２００は、可撓性天幕２３０と、第一の内部視認部２５０とを備える。なお、第一の実施形態と同一又は対応する部分については同一の符号を付してその説明を省略し、異なる部分のみを説明する。
【００４０】
図３は、第一の内部視認部２５０が開かれた状態を示す平面図である。可撓性天幕２３０は、図３に示すように、略Ｕ字状の第一のファスナー切断縁７１を有する。第一のファスナー切断縁７１は、平面視で略角丸形状壁面１４の左側である一方側から右側である他方側へ切断縁を有する略Ｕ字状である。
【００４１】
第一の内部視認部２５０は、一方が略角丸形状壁面１４の上縁部に連結され、他方が開放端を有し、回転軸なしで巻き取り可能である。略角丸形状壁面１４の上縁部には、第一の内部視認部巻取り係止手段７７を複数備えている。
【００４２】
第一の内部視認部巻取り係止手段７７は、一対の係止具から構成されている。係止具の一方は、紐と留め具とで構成され、紐の一端が略角丸形状壁面１４に取着され、他端に留め具が設けられている。係止具の他方は、一端が略角丸形状壁面１４に取着され、他端が上記留め具に係止される環状紐で構成されている。第一の内部視認部巻取り係止手段７７の留め具に環状紐が係止されることで、第一の内部視認部２５０の巻取り状態が保持される。
【００４３】
図４は、図３のＡ−Ａ‘部分拡大図である。第一の内部視認部２５０は、第一のファスナー切断縁７１に対応する略Ｕ字状の第二のファスナー切断縁７２を有する。そして、第一のファスナー切断縁７１と第二のファスナー切断縁７２とに第一のファスナーのスライダー７５が移動可能に設けられている。スライダー７５は、表裏両面に引手が付いているいわゆる両面スラスの構成である。なお、第一のファスナーのスライダー７５は、複数備えていてもよいし、一対の構成であってもよい。
【００４４】
また、避難所用折畳み式テント２００は、第一のファスナー切断縁７１の上部に、第一のファスナー切断縁７１と同形状の第三のファスナー切断線７３を有する。第一のファスナー切断縁７１と第三のファスナー切断線７３は、ともに可撓性膜材２３０に設けられている。
【００４５】
第一の内部視認部２５０の上部には、目隠し膜６０が設けられている。目隠し膜６０と第一の内部視認部２５０は上下方向に間隔を存する二重膜構造とされている。目隠し膜６０は、第四のファスナー切断縁７４を有する。第四のファスナー切断縁７４は、第三のファスナー切断縁７３に対応する略Ｕ字状である。そして、第三のファスナー切断縁７３と第四のファスナー切断縁７４とに第二のファスナーのスライダー７６が移動可能に設けられている。スライダー７６は、表裏両面に引手が付いているいわゆる両面スラスの構成である。なお、第二のファスナーのスライダー７６は、複数備えていてもよいし、一対の構成であってもよい。
【００４６】
図５は、図４の目隠し膜６０が閉じられた状態を示す平面図である。第一の内部視認部巻取り係止手段７７による係止が解除されている。一対のスライダー７６を備えている場合には、図５に示すように、一対のスライダー７６が相互に接近されて、目隠し膜６０が閉じられ、この状態が保持される。
【００４７】
避難所用折畳み式テント２００によれば、第一の内部視認部２５０は、筒状周壁部１０の上部に開閉自在に設けられているので、第一の内部視認部２５０が開かれた状態とすることができる。使用状態のとき、第一の内部視認部２５０が開かれた状態では、開放感を得ることができ、また、より採光することができる。また、折畳みのとき、可撓性天幕２３０と第一の内部視認部２５０との間から空気が抜けて折り畳みやすい。
【００４８】
使用状態において、第一の内部視認部２５０が開かれても、立位時や傍にいる監視者の目線の高さより略角丸形状壁面１１，１２，１３，１４の高さが高いときは、そのままではテント内が覗くことができない。
【００４９】
また、避難所用折畳み式テント２００によれば、目隠し膜６０が閉じられた状態と、目隠し膜６０が開かれて網状又はメッシュ状の状態と、第一の内部視認部２５０が開かれた状態とを選択することができる。このように、選択的使い分けが可能であり、避難所ストレスを緩和することができる。
【００５０】
また、避難所用折畳み式テント２００によれば、第一の内部視認部２５０と目隠し膜６０は回転軸なしで巻き取り可能である。また、第一の内部視認部巻取り係止手段７７を備えているので、第一の内部視認部２５０を目隠し膜６０とともに巻き取られた状態に保持できる。また、第一の内部視認部巻取り係止手段７７は、留め具付であるため、容易に係止でき、留め具を用いて巻き取り時に綺麗にまとめることができる。
【００５１】
さらに、避難所用折畳み式テント２００によれば、第一のファスナー切断縁７１と第二のファスナー切断縁７２とに、第一のファスナーのスライダー７５が移動可能に設けられているので、第一の内部視認部２５０が閉じられた状態に保持することができる。また、スライダー７５を移動させて第一の内部視認部２５０が開かれた状態にすることができる。
【００５２】
さらにまた、スライダー７５は、両面スラスの構成であるため、第一の内部視認部２５０を、テント外とテント内のいずれからも開閉可能である。また、スライダー７６は、両面スラスの構成であるため、目隠し膜６０を、テント外とテント内のいずれからも開閉可能である。例えば、図５に示す目隠し膜６０が閉じられた状態の場合であっても、テント外からスライダー７６を移動させて目隠し膜６０を開き、テント内を視認することができる。また、目隠し膜６０を部分的に開き、テント内を視認することができる。
【００５３】
なお、ファスナー切断縁７１，７２，７３，７４は、上記第二の実施形態の如く、平面視で略Ｕ字状のものに何ら限定されない。ファスナー切断縁７１，７２，７３，７４は、例えば、略逆Ｕ字状であってもよいし、左右に開放する略Ｕ字状であってもよいし、半円状であってもよい。また、ファスナー切断縁７１とファスナー切断縁７３とが同形状でなくてもよい。
【００５４】
また、避難所用折畳み式テント２００は、目隠し膜６０と第一の内部視認部２５０との二重膜構造のものに何ら限定されず、例えば、第一の内部視認部２５０のみの一重膜構造であってもよい。
【００５５】
（第三の実施形態）
第三の実施形態の避難所用折畳み式テント３００は、第二の実施形態の避難所用折畳み式テント２００とは、第二の内部視認部８０が略角丸形状壁面１１に設けられている点で異なる。なお、上記実施形態と同一又は対応する部分については同一の符号を付してその説明を省略し、異なる部分のみを説明する。
【００５６】
図６は、第三の実施形態の避難所用折畳み式テント３００の構成を示す斜視図である。第二の内部視認部８０は、合成樹脂製の網生地又はメッシュ生地からなり、網状又はメッシュ状である。また、扉膜１９の内上面に、第二の内部視認部８０の左右方向に指向した一側縁が一体に縫製されて設けられている。なお、第二の内部視認部８０は、網状又はメッシュ状であれば、素材は何であってもかまわない。
【００５７】
図７は、図６の第二の内部視認部８０が開かれた状態を示すＢ−Ｃ部分拡大図である。第二の内部視認部８０は、回転軸なしで巻き取り可能である。
【００５８】
略角丸形状壁面１１は、略Ｕ字状の第五のファスナー切断縁９１を有する。第五のファスナー切断縁９１は、正面視で略角丸形状壁面１１の左上側である一方側から右上側である他方側へ切断縁を有する略Ｕ字状である。第五のファスナー切断線９１の表側に、第七のファスナー切断縁９３が設けられている。第七のファスナー切断縁９３は、第五のファスナー切断縁９１と同形状である。また、略角丸形状壁面１１には、第二の内部視認部巻取り係止手段９７を複数備えている。
【００５９】
第二の内部視認部巻取り係止手段９７は、一対の係止具から構成されている。第二の内部視認部巻取り系手段９７は、扉膜１９の内上面に設けられている。係止具の一方は、紐と留め具とから構成され、一端が扉膜１９の内上面に取着され、他端に留め具が設けられている。係止具の他方は、一端が扉膜１９の内上面に取着され、他端が留め具に係止される環状紐で構成されている。
【００６０】
第二の内部視認部８０は、第六のファスナー切断縁９２を有する。第六のファスナー切断縁９２は、第五のファスナー切断縁９１に対応する略Ｕ字状である。そして、第五のファスナー切断縁９１と第六のファスナー切断縁９２とに第三のファスナーのスライダー９５が移動可能に設けられている。スライダー９５は、表裏両面に引手が付いているいわゆる両面スラスの構成である。
【００６１】
扉膜１９は、第八のファスナー切断縁９４を有する。第八のファスナー切断縁９４は、第七のファスナー切断縁９３に対応する略Ｕ字状である。第七のファスナー切断縁９３と第八のファスナー切断縁９４とに第四のファスナーのスライダー９６が移動可能に設けられている。スライダー９６は、表裏両面に引手が付いているいわゆる両面スラスの構成である。
【００６２】
避難所用折畳み式テント３００によれば、網状又はメッシュ状の第二の内部視認部８０を備えているので、第二の内部視認部８０を介して、テント内外の人が直接視線をかわすことを防止することができ、避難所ストレスを緩和することができる。
【００６３】
なお、避難所用折畳み式テント３００は、上記実施形態の如く、第二の内部視認部８０が略角丸形状壁面１１に設けられている場合に何ら限定されず、他の略角丸形状壁面１２，１３，１４に設けられていてもよい。また、この場合、第二の内部視認部８０は、略角丸形状壁面１２，１３，１４に開閉自在に設けられていてもよいし、固定されていてもよい。
【００６４】
（まとめ）
本考案の避難所用折畳み式テントは、可撓性膜材の周縁部に弾性フレームが設けられた略角丸形状壁面を複数有し、複数の略角丸形状壁面の側縁部が折り畳み可能に順次連続して連結された筒状周壁部と、筒状周壁部の上部に設けられた網状又はメッシュ状の第一の内部視認部とを備えている構成である。
【００６５】
本考案の避難所用折畳み式テントによれば、上記構成を採用したので、第一の内部視認部を介して視認性に優れ、使用者のプライバシー保護と監視との調和を図ることができる。
【００６６】
また、本考案の避難所用折畳み式テントは、第一の内部視認部は、筒状周壁部の上部に開閉自在に設けられている構成であってもよい。
【００６７】
この場合には、使用状態のとき第一の内部視認部を開閉することができ、折畳みのとき筒状周壁部の内部から空気が抜けて折り畳みやすい。
【００６８】
また、本考案の避難所用折畳み式テントは、筒状周壁部の一の略角丸形状壁面に網状又はメッシュ状の第２の内部視認部が設けられている構成であってもよい。
【００６９】
この場合には、第二の内部視認部を介して、テント内外の人が直接視線をかわすことを防止することができ、避難所ストレスを緩和することができる。
【００７０】
また、本考案の避難所用折畳み式テントは、第一の内部視認部の上部に不透明の目隠し膜が開閉自在に設けられている構成としてもよい。
【００７１】
この場合には、不透明の目隠し膜が閉じられ、例えば就寝時や更衣時にテント外から見えないようにすることができる。また、目隠し膜が開かれ、網状又はメッシュ状の状態とされ、例えば換気や光を入れることができる。このように、使い分けが可能であり、避難所ストレスを緩和することができる。
【００７２】
また、本考案の避難所用折畳み式テントは、第一の内部視認部は筒状周壁部の上縁部に連結された可撓性天幕に設けられており、可撓性天幕は略Ｕ字状の第一のファスナー切断縁を有し、第一の内部視認部は、第一のファスナー切断縁に対応する略Ｕ字状の第二のファスナー切断縁を有し、第一のファスナー切断縁と第二のファスナー切断縁とに第一のファスナーのスライダーが移動可能に設けられている構成であってもよい。
【００７３】
この場合には、第一のファスナーのスライダーを移動させ、第一の内部視認部が閉じられた状態に保持することができる。また、第一のファスナーのスライダーを移動させ、第一の内部視認部が開かれた状態にすることができる。
【００７４】
また、本考案の避難所用折畳み式テントは、第一のファスナー切断縁の上部に略Ｕ字状の第三のファスナー切断線を有し、目隠し膜は、第三のファスナー切断縁に対応する略Ｕ字状の第四のファスナー切断縁を有し、第三のファスナー切断縁と第四のファスナー切断縁とに第二のファスナーのスライダーが移動可能に設けられている構成であってもよい。
【００７５】
この場合には、第二のファスナーのスライダーを移動させ、目隠し膜が閉じられた状態に保持することができる。
【００７６】
また、本考案の避難所用折畳み式テントは、第一のファスナーのスライダーは、表裏両面に引手が付いているいわゆる両面スラスの構成であってもよい。
【００７７】
この場合には、テント内外から第一の内部視認部を開閉することができる。
【００７８】
また、本考案の避難所用折畳み式テントは、第二のファスナーのスライダーは、表裏両面に引手が付いているいわゆる両面スラスの構成であってもよい。
【００７９】
この場合には、テント内外から目隠し膜を開閉することができる。
【００８０】
（本考案の変形例）
なお、本考案の避難所用折畳み式テントに係る構成は、上記実施形態に何ら限定されるものではなく、筒状周壁部や略角丸形状壁面の形状、構造に係る構成について、本考案の趣旨を逸脱しない範囲で必要に応じて適宜変更可能である。
【００８１】
例えば、本考案の避難所用折畳み式テントは、上記実施形態の如く、４つの略角丸形状壁面を有する筒状周壁部に限定されず、５つでも６つでもよい。また、略角丸形状壁面は、上記実施形態の如く、略五角丸形や略長方四角丸形に限定されず、他の略角丸形状であってもよい。
【００８２】
また、本考案に係る避難所用折畳み式テントは、第一の実施形態の避難所用折畳み式テントに、更に、筒状周壁部の一の略角丸形状壁面に網状又はメッシュ状の第２の内部視認部が設けられている構成であってもよい。
【００８３】
また、本考案の避難所用折畳み式テントは、上記実施形態の如く、第二の内部視認部は、正面を構成する略角丸形状壁面に設けられているものに何ら限定されるものではなく、筒状周壁部のいずれか一の略角丸形状壁面に設けられているものであればよい。例えば、第二の内部視認部は、側面や背面を構成する略角丸形状壁面に設けられていてもよい。
【００８４】
また、第一の内部視認部及び第二の内部視認部は、網状又はメッシュ状であればよく、例えば、細かい網目を有するものであってもかまわない。第一の内部視認部及び第二の内部視認部の材質、形状、厚み等は、適宜選択できる。
【００８５】
また、避難所用折畳み式テントは、上記実施形態の如く、第一の内部視認部は、筒状周壁部の上縁部に連結された可撓性天幕に設けられているものに限定されない。第一の内部視認部は、筒状周壁部の上部に設けられていればよく、例えば、筒状周壁部に第一の内部視認部が直接設けられていてもよい。また、第一の内部視認部は、テント内を視認できるものであればよく、筒状周壁部の上部全面に設けられていてもよいし、上部に部分的に有するものであってもよい。
【００８６】
また、本考案の避難所用折畳み式テントは、上記実施形態の如く、筒状周壁部の下部に、合成樹脂製の可撓性膜材からなる底面が設けられているものに限定されず、例えば、底面を備えていないものであってもよい。
【００８７】
また、本考案の避難所用折畳み式テントは、上記実施形態の如く、金属製の弾性フレームに何ら限定されず、例えば、合成樹脂製の弾性フレームであってもよい。
【産業上の利用可能性】
【００８８】
災害や疫病の際に、体育館、アリーナ、屋内運動場、公民館、公会堂、区民会館等の風雨のないところである避難所に設置されて利用される避難所用折畳み式テントであるが、その他の屋内用の用途にも適用できる。
【符号の説明】
【００８９】
１０                    筒状周壁部
１１，１２，１３，１４  略角丸形状壁面
１５，１６              周縁部
１７                    側縁部
２０                    弾性フレーム
３０，２３０            可撓性天幕
５０，２５０            第一の内部視認部
６０                    目隠し膜
７１                    第一のファスナー切断縁
７２                    第二のファスナー切断縁
７５                    ファスナーのスライダー
８０                    第二の内部視認部
１００，２００，３００    避難所用折畳み式テント
【図１】
0003231174.tif 000003
【図２】
0003231174.tif 000004
【図３】
0003231174.tif 000005
【図４】
0003231174.tif 000006
【図５】
0003231174.tif 000007
【図６】
0003231174.tif 000008
【図７】
0003231174.tif 000009